(57)【要約】【課題】損傷した壁パネルの張り替えを屋外側から行えるようにして補修作業の手間を省く。さらに壁パネルを固定するための構造が壁外面に露出するのを解消して、補修後の外壁の体裁を向上する。【解決手段】連結部４・５の一方に突条壁７が、他方に突条壁７と係合する溝壁９がそれぞれ形成してある壁パネル２で外壁を構築する。補修個所に臨む壁下地１に、係合金具１９を壁外面側から固定し、補修個所に嵌め込まれる新規の壁パネル２Ａを、係合金具１９に圧嵌係合して壁下地１に分離不能に固定する。係合金具１９は、壁下地１に締結固定されるベース壁２０と、新規の壁パネル２Ａの溝壁９を内面側から係合固定する押え壁２２とを備えている。補修個所の両側に位置する壁パネル２・２に新規の壁パネル２Ａを仮接合したうえで、新規の壁パネル２Ａと既設の壁パネル２との折れ曲がリ部分を押し込み操作して、溝壁９を壁下地１と押え壁２２との間の凹部２６に圧嵌係合し、新規の壁パネル２Ａを壁下地１に分離不能に固定する。【選択図】図１
2006124921.tif 000002
【特許請求の範囲】
【請求項１】
凹凸係合が可能な一対の連結部（４・５）を備えた嵌合連結式の壁パネル（２）を壁要素とする外壁の補修構造であって、
両連結部（４・５）の一方に突条壁（７）が、他方に突条壁（７）と係合する溝壁９がそれぞれ形成されており、
補修個所に臨む壁下地（１）に、補修個所に嵌め込まれる新規の壁パネル（２Ａ）を係合固定する係合金具（１９）が壁外面側から固定されており、
係合金具（１９）は、壁下地（１）に締結固定されるベース壁（２０）と、新規の壁パネル（２Ａ）の溝壁（９）を内面側から係合固定する押え壁（２２）とを備えており、
補修個所の両側に位置する壁パネル（２・２）に新規の壁パネル（２Ａ）を仮接合した状態において、新規の壁パネル（２Ａ）と既設の壁パネル（２）との折り曲がリ部分を押し込み操作することにより、溝壁（９）を壁下地（１）と押え壁（２２）との間の凹部（２６）に圧嵌係合して、新規の壁パネル（２Ａ）を壁下地（１）に分離不能に固定することを特徴とする壁パネルの補修構造。
【請求項２】
係合金具（１９）のベース壁（２０）の一端に、新規の壁パネル（２Ａ）の溝壁（９）を係合固定する押え壁（２２）が設けられており、ベース壁（２０）の他端に、既設の壁パネル（２）の締結壁（１０）の突端に接当して、係合金具（１９）を位置決めする位置決め壁（３０）が形成してある請求項１記載の壁パネルの補修構造。
【請求項３】
壁パネル（２・２Ａ）が金属板材を成形した単層構造の壁パネルで形成してある請求項１または２記載の壁パネルの補修構造。
【請求項４】
係合金具（１９）が、ベース壁（２０）の内面に設けた弾性マット（２４）を介して壁下地（１）に接着固定してある請求項１から３のいずれかに記載の壁パネルの補修構造。
【請求項５】
溝壁（９）が断面Ｕ字状に形成されており、押え壁（２２）が壁下地（１）へ向かって斜めに張り出されており、
溝壁（９）が弾性変形しながら押え壁（２２）を乗越えて凹部（２６）と係合する請求項１から４のいずれかに記載の壁パネルの補修構造。
【発明の詳細な説明】
【技術分野】
【０００１】
本発明は、外壁を構築した後に、誤って傷付けた壁パネルを張り替えるのに好適な壁パネルの補修構造に関する。
【背景技術】
【０００２】
擦り傷や凹み傷などが形成された壁パネルを張り替える補修構造に関して、例えば特許文献１が公知である。そこでは、損傷した壁パネルと、その下段側の壁パネルとを取り外し、新規な壁パネルと下段側の壁パネルとをく字状に仮接合したうえで、両壁パネルの上下の嵌合部分を施工済みの壁パネルに係合しながら面一状に押し込み操作して、新規壁パネルを補修個所に嵌め込む。両壁パネルには、予めボルト（セルフドリリングビス）がねじ込んであり、ボルトを縦胴縁に装着した固定金具にナットで締結することにより、両壁パネルを縦胴縁に対して分離不能に固定する。固定金具は断面ハット形に形成してあり、壁内面側から縦胴縁に外嵌装着するようになっている。
【０００３】
この種の補修構造は特許文献２にもみることができる。そこでは、損傷した壁パネルのみを取り外し、新規な壁パネルを補修個所に嵌め込んだ後、壁パネルの外表面から縦胴縁に釘を打ち込んで、壁パネルを分離不能に固定している。なお、特許文献１、２の壁パネルは、外被板の内面に断熱材や耐火材などが裏打ちしてある複層構造の壁パネルからなる。
【０００４】
【特許文献１】特許第２６４７６１２号公報（段落番号００１４、図１）
【特許文献２】特許第３４９８５５２号公報（段落番号００１４、図３）
【発明の開示】
【発明が解決しようとする課題】
【０００５】
特許文献１の補修構造によれば、張り替え対象の壁パネルと、その下段側の壁パネルとを、それぞれボルトおよびナットで固定金具に締結固定するので、補修対象とならなかった壁パネルと同様に、両壁パネルを強固に固定できる。予め壁パネルにねじ込んだボルトの操作頭部が壁外面に露出することもないので、補修後の外壁の体裁も向上できる利点がある。問題は、ボルトと固定金具とを壁パネルの内面側で締結するため、屋内外の両側から補修作業を行う必要があり、一連の作業に多くの手間が掛かる。とくに、屋内の壁工事や内装工事が同時に進められているような場合、あるいは屋内側にラック構造が構築してあるような場合には、内壁や内装などを分解して再構築する必要があり、補修作業に多くの手間を要する。
【０００６】
この点、特許文献２の補修構造によれば、損傷した壁パネルの張り替えは屋外側から行うだけでよく、補修作業の手間を省ける。しかし、補修個所に嵌め込んだ新規な壁パネルを、その外表面から打ち込んだ釘やビスで締結固定するので、補修後の外壁表面に釘の頭が露出して体裁が損なわれるうえ、釘頭を隠すためのシーリングや補修塗装などの余分な手間が加わる。釘穴が錆付いて、そこから雨水が染み込むおそれもある。
【０００７】
本発明の目的は、損傷した壁パネルの張り替えを屋外側から行って補修作業の手間を省けるうえ、壁パネルを固定するための構造が壁外面に露出するのを解消して、補修後の外壁の体裁を向上できる壁パネルの補修構造を提供することにある。本発明の目的は、金属板材のみで構成してある壁パネルを強固に、しかも高度の防水性を発揮できる状態で固定できる壁パネルの補修構造を提供することにある。
【課題を解決するための手段】
【０００８】
本発明の壁パネルの補修構造は、凹凸係合が可能な一対の連結部４・５を備えた嵌合連結式の壁パネル２で構築される外壁を対象とする。両連結部４・５の一方に突条壁７が、他方に突条壁７と係合する溝壁９がそれぞれ形成してある。補修個所に臨む壁下地１に、補修個所に嵌め込まれる新規の壁パネル２Ａを係合固定する係合金具１９を壁外面側から固定する。係合金具１９は、壁下地１に締結固定されるベース壁２０と、新規の壁パネル２Ａの溝壁９を内面側から係合固定する押え壁２２とを備えている。補修個所の両側に位置する壁パネル２・２に新規の壁パネル２Ａを仮接合した状態において、新規の壁パネル２Ａと既設の壁パネル２との折り曲がリ部分を押し込み操作することにより、図１に示すように溝壁９を壁下地１と押え壁２２との間の凹部２６に圧嵌係合して、新規の壁パネル２Ａを壁下地１に分離不能に固定することを特徴とする。
【０００９】
図４に示すように、係合金具１９のベース壁２０の一端に、新規の壁パネル２Ａの溝壁９を係合固定する押え壁２２を設け、ベース壁２０の他端に、既設の壁パネル２の締結壁１０の突端に接当して、係合金具１９を位置決めする位置決め壁３０を形成する。
【００１０】
壁パネル２・２Ａは金属板材を成形した単層構造の壁パネルで形成する。
【００１１】
係合金具１９は、ベース壁２０の内面に設けた弾性マット２４を介して壁下地１に接着固定する。
【００１２】
溝壁９を断面Ｕ字状に形成する。押え壁２２は壁下地１へ向かって斜めに張り出す。以て、溝壁９が弾性変形しながら押え壁２２を乗越えて凹部２６と係合できるようにする。
【発明の効果】
【００１３】
本発明では、補修個所に臨む壁下地１に係合金具１９を壁外面側から固定しておき、く字状に仮接合した新規な壁パネル２Ａと、既設の壁パネル２とを外側から面一状に押し込み操作することにより、新規な壁パネル２Ａを補修個所に嵌め込み、同時に新規な壁パネル２Ａの溝壁９を、押え壁２２と壁下地１との間に形成した凹部２６に落ち込み係合させて、新規な壁パネル２Ａを壁下地１に対して分離不能に固定するので、損傷した壁パネル２の張り替え作業を一貫して屋外側から行える。したがって、従来の補修作業に比べて、一連の作業に要する手間を著しく省くことができる。壁パネル２Ａを壁下地１に締結した係合金具１９に圧嵌固定するので、従来の補修構造において避けられなかった、ボルトやビスなどの締結体が壁外面に露出することを確実に解消でき、補修後の外壁の体裁を向上して施工品質を向上できるうえ、係合金具１９の外面全体が新規な壁パネル２Ａで覆われるので高度の防水性を発揮できる。
【００１４】
ベース壁２０の一端に押え壁２２を設け、ベース壁２０の他端に位置決め壁３０を形成した係合金具１９を使用して補修を行うと、既設の壁パネル２の締結壁１０を利用して係合金具１９を位置決めできるので、壁下地１に予めけがき線を形成する必要がなく、係合金具１９を固定するための一連の作業を簡便にしかも確実に行える。
【００１５】
補修対象の壁パネル２・２Ａが、金属板材を成形した単層構造の壁パネルで形成してある外壁においては、新規な壁パネル２Ａに追加工を施す必要もなく補修できるので、外壁の補修をさらに簡便に行うことができる。
【００１６】
係合金具１９を弾性マット２４を介して壁下地１に接着固定すると、係合金具１９を胴縁１に対して正確に位置決めした状態で仮固定できるうえ、その後にセルフドリリングビス２５をねじ込む際に係合金具１９がずれ動くのを防止できるので、係合金具１９をより少ない手間で簡便に装着できる。ビス挿通穴を介して漏水するのを弾性マット２４で防止できる利点もある。
【００１７】
溝壁９を断面Ｕ字状に形成し、押え壁２２を壁下地１へ向かって斜めに張り出すと、溝壁９が弾性変形しながら押え壁２２を乗越えて凹部２６と落ち込み係合するので、溝壁９が凹部２６に圧嵌係合したことを明確に確認しながら、新規な壁パネル２Ａを係合金具１９に係合連結でき、連結状態における溝壁９を押え壁２２と壁下地１とで密着保持できる。従って、外壁に内圧が作用するような場合でも、新規な壁パネル２Ａが胴縁１から浮離れ、あるいはがた付くのを確実に防止できる。
【発明を実施するための最良の形態】
【００１８】
（実施例）  図１ないし図３は本発明に係る壁パネルの補修構造を、縦張型の外壁に適用した実施例を示す。図２において外壁は、一定間隔置きに配置した水平の胴縁（壁下地）１の外面に、上下に長い壁パネル２を左から順に取り付けて構成する。胴縁１は、断面Ｃ字状の形鋼からなり、その一側が開口している。壁パネル２は、塗装鋼板ないしガルバリウム鋼板などを素材にしてロール成形される、金属板材のみで構成される単層型の壁パネルからなる。
【００１９】
壁パネル２の左右辺部には、凹凸係合が可能な関係にある一対の連結部４・５を形成する。詳しくは、壁パネル２の一側辺に沿って垂直の接合壁６を内向きに折り曲げ、その内端をく字状に折り曲げて突条壁７とし、これら両者６・７で連結部４を構成する。他方の連結部５は、壁パネル２の右辺に沿って内向きに折り曲げられる垂直の接合壁８と、その内端で反転状に折り曲げられるＵ字状の溝壁９と、溝壁９の内面側の壁を接合壁８より右側方へ突設して形成される締結壁１０と、締結壁１０の上端を斜めに折り曲げて形成される水切壁１１などで構成する。
【００２０】
左右に隣接する壁パネル２は、右側の壁パネル２の突条壁７を、左側の壁パネル２の溝壁９に差し込み係合することで、接合壁６・８どうしが密接する状態で仮接合でき、右側の壁パネル２の締結壁１０をセルフドリリングビス１３で締結することにより、胴縁１に固定される。この締結状態においては、締結壁１０の外面が右側の壁パネル２で覆われるので、セルフドリリングビス１３の操作頭部が壁外面に露出することはない。
【００２１】
上記のような嵌合連結式の壁パネル２を壁要素とする外壁において、外壁を構築し終えた後に、誤って壁パネル２の表面を傷付けて、擦り傷や凹み傷などを生じることがある。こうした場合に、傷付いた壁パネル２を本発明の補修構造に従って交換することにより、外壁を改修できる。補修作業は、傷付いた壁パネル２を除去する準備作業と、新規な壁パネル２Ａを補修部分に嵌め込み固定する取付作業とからなる。
【００２２】
準備作業においては、傷付いた壁パネル２の右端寄りを電動丸鋸等によって長手方向へ切断し、切断線より左側のパネル部分を左方の壁パネル２から抜き外す。次に、右方の壁パネル２を壁外面側へ持ち上げて、切断線より右側のパネル部分の外面に作業空間を確保する。この状態で締結壁１０にねじ込んだセルフドリリングビス１３を取り外して、連結部５を含む右側のパネル部分を胴縁１から除去する。
【００２３】
取付作業においては、補修個所に臨む各胴縁１に係合金具１９を壁外面側から固定したのち、新規な壁パネル２Ａを補修個所の左右に位置する壁パネル２・２に嵌め込んで、その溝壁９を係合金具１９に圧嵌係合して胴縁１に固定する。
【００２４】
図３において係合金具１９は、胴縁１の外面に装着されるベース壁２０と、ベース壁２０の右側端に連続して壁外面側へ折り起こされる受壁２１と、受壁２１の突端から壁内面側へ向かって斜めに折り返される押え壁２２とを備えたプレス成形品からなり、鋼板およびステンレス板材などを素材にして形成する。必要があればアルミニウム押出材を所定寸法に切断して形成することができる。
【００２５】
ベース壁２０の受壁２１寄りには、２個のビス挿通穴２３が形成してある。図１において符号２４は、ベース壁２０の胴縁１との接合面に接着される弾性マットである。弾性マット２４は、ブチルゴム、シリコンゴム、エチレンプロピレンゴムなどの、合成ゴムを素材とするマット材からなる。新規な壁パネル２Ａと交差する全ての胴縁１に弾性マット２４を接着したのち、ベース壁２０をセルフドリリングビス（締結具）２５で締結することにより、係合金具１９を胴縁１に固定できる。
【００２６】
このように係合金具１９を胴縁１に締結することにより、押え壁２２と受壁２１と胴縁１の三者の間に、溝壁９を落ち込み係合させるための凹部２６が形成される。弾性マット２４を介して係合金具１９を胴縁１に接着固定することにより、係合金具１９を胴縁１に対して正確に位置決めできるうえ、セルフドリリングビス２５をねじ込む際に係合金具１９がずれ動くのを防止できるので、係合金具１９をより少ない手間で簡便に装着できる。ビス挿通穴からの漏水を防止できる利点もある。
【００２７】
上記のように、係合金具１９を胴縁１の外面に締結した後、図３に示すように新規の壁パネル２Ａを補修個所に嵌め込む。詳しくは、新規の壁パネル２Ａの連結部５を、補修個所の右側に位置する壁パネル２の連結部４に嵌め込み、新規の壁パネル２Ａを外膨らみ状に撓ませながら、その左側の連結部４を補修個所の左側に位置する壁パネル２の連結部５に嵌め込んで、左右の壁パネル２・２と新規の壁パネル２Ａとの三者を仮組みする。このとき、新規の壁パネル２Ａと右側の壁パネル２とは、両者の連結部分が壁外面に突出してく字状に折れ曲がっている。
【００２８】
上記の状態で、両パネル２・２Ａの屈折部分を胴縁１ヘ向かって押し込み操作して、新規の壁パネル２Ａに設けた溝壁９の内面を凹部２６に圧嵌係合することにより、新規な壁パネル２Ａを他の壁パネル２と面一に固定保持できる。このとき、溝壁９は押え壁２２に案内されて弾性変形しながら、押え壁２２の突端を乗越えて凹部２６に落ち込み係合し、押え壁２２で分離不能に固定支持される。
【００２９】
以上のように、傷付いた壁パネル２の一連の補修作業は外壁の外側から行えるので、補修作業をより少ない手間で迅速に行える。また、新規の壁パネル２Ａを補修個所に嵌め込んだ状態では、係合金具１９やセルフドリリングビス２５の外面を、新規の壁パネル２Ａの主面壁で覆われるので、補修後の外壁の体裁を向上できる。
【００３０】
図４は係合金具１９の別実施例を示す。そこでは、ベース壁２０を左方に延長し、延長端に位置決め壁３０を折り曲げ形成する点が先の実施例と異なる。位置決め壁３０が左方の壁パネル２の締結壁１０に接当する状態で、係合金具１９を胴縁１に接着固定することにより、係合金具１９を正確に位置決めした状態で簡便に仮固定できる。各胴縁１ごとにけがき線を予め形成する必要もない。
【００３１】
上記の実施例以外に、壁下地１は間柱であってもよく、形鋼以外に木材で形成してあってもよい。係合金具１９を固定する締結具２５は、セルフドリリングビス以外に、タッピンビスを適用できる。ベース壁２０と受壁２１の隅部、および受壁２１と押え壁２２の屈曲部には、必要に応じて強度補強用のリブを形成することができる。壁パネル２・２は目地隙間を介して接合してあってもよく、その場合には、接合壁６・８の間に目地が形成される。連結部４・５は、互いに凹凸係合できる構造であればよく、実施例で説明した構造には限定しない。
【００３２】
上記の実施例では、縦張型の外壁について説明したが、本発明は横張型の外壁にも同様に適用できる。壁パネル２の主面壁は平坦である必要はなく、パネル幅方向に複数の化粧用リブが形成してあってもよい。押え壁２２は折り曲げ形成する以外に、受壁２１の一部を切り起こして形成してもよい。係合金具１９は、受壁２１および押え壁２２を含む第１の部品と、位置決め壁３０を含む第２部品とで構成することができ、その場合には、第１、第２の部品のベース壁２０を内外に重ねて、幅方向へ相対スライド自在に連結しておくことにより、壁パネル２の全幅寸法の変化に対応して、係合金具１９の幅寸法を変更調整することができる。
【００３３】
本発明の補修構造は、とくに金属板材のみで構成してある単層構造の壁パネルの補修を行うのに好適であるが、必要があれば、金属板製の外被板の内面に断熱材や耐火材などが裏打ちしてある複層構造の壁パネルに適用することができる。その場合には、押え壁２２が溝壁９と係合できるだけの凹部を、裏打ちされた断熱材や耐火材などに予め形成しておくとよい。
【図面の簡単な説明】
【００３４】
【図１】補修個所の縦断平面図である。
【図２】補修個所の分解斜視図である。
【図３】新規な壁パネルの組み付け要領を示す横断平面図である。
【図４】係合金具の別実施例を示す横断平面図である。
【符号の説明】
【００３５】
１  壁下地
２  壁パネル
２Ａ  新規の壁パネル
４・５  連結部
７  突条壁
９  溝壁
１０  締結壁
１９  係合金具
２０  ベース壁
２２  押え壁
２４  弾性マット
２６  凹部
３０  位置決め壁
【図１】
2006124921.tif 000003
【図２】
2006124921.tif 000004
【図３】
2006124921.tif 000005
【図４】
2006124921.tif 000006